(57)【要約】  被制御機器を制御するためのリモコン（１０６）は、赤外線により情報を送信する赤外線送信部（１０８）と、電波による無線通信により情報を送信する無線通信部（１０７）と、被制御機器に送信する制御情報をユーザから受け付ける受付部（２０５）と、無線通信部（１０７）と被制御機器との無線通信ができるか否かを判断する無線通信判断部（２０２）と、無線通信判断部（２０２）の判断結果に基づいて、赤外線送信部（１０８）及び無線通信部（１０７）のうち被制御機器に制御情報を送信する一方を選択し、選択した一方を用いて被制御機器に制御情報を送信する制御部（２０１）とを備える。
2015045322.tif 000002
【特許請求の範囲】
【請求項１】
被制御機器を制御するためのリモコンであって、
赤外線により情報を送信する赤外線送信部と、
電波による無線通信により情報を送信する無線通信部と、
前記被制御機器に送信する制御情報をユーザから受け付ける受付部と、
前記無線通信部と前記被制御機器との無線通信ができるか否かを判断する無線通信判断部と、
前記無線通信判断部の判断結果に基づいて、前記赤外線送信部及び前記無線通信部のうち前記被制御機器に前記制御情報を送信する一方を選択し、選択した前記一方を用いて前記被制御機器に前記制御情報を送信する制御部とを備える
リモコン。
【請求項２】
前記制御部は、
（ｉ）前記無線通信部と前記被制御機器との無線通信ができると前記無線通信判断部が判断した場合に、前記無線通信部を選択し、
（ｉｉ）前記無線通信部と前記被制御機器との無線通信ができないと前記無線通信判断部が判断した場合に、前記赤外線送信部を選択する
請求項１に記載のリモコン。
【請求項３】
前記受付部は、さらに、
前記被制御機器に送信する音声を、音声情報としてユーザから受け付け、
前記制御部は、さらに、
前記受付部が前記音声情報を受け付けた場合には、前記無線通信部を用いて前記被制御機器に前記音声情報を送信する
請求項１又は２に記載のリモコン。
【請求項４】
前記無線通信判断部は、
（ｉ）前記被制御機器が無線通信をする機能を有する機器である場合には、前記無線通信部と前記被制御機器との無線通信ができると判断し、
（ｉｉ）前記被制御機器が無線通信をする機能を有しない機器である場合には、前記無線通信部と前記被制御機器との無線通信ができないと判断する
請求項１〜３のいずれか１項に記載のリモコン。
【請求項５】
前記制御部は、さらに、
前記被制御機器との無線通信の接続の確立を前記無線通信部にさせ、
前記無線通信判断部は、
（ｉ）前記無線通信部が前記被制御機器との無線通信の接続を確立した場合には、前記無線通信部と前記被制御機器との無線通信ができると判断し、
（ｉｉ）前記無線通信部が前記被制御機器との無線通信の接続を確立できなかった場合には、前記無線通信部と前記被制御機器との無線通信ができないと判断する
請求項１〜４のいずれか１項に記載のリモコン。
【請求項６】
前記リモコンは、さらに、
データ保持部を有し、
前記制御部は、前記被制御機器との無線通信の接続の確立、又は、前記接続が確立していることの確認を前記無線通信部にさせ、前記接続が確立しているか否かを示す接続状態情報を前記データ保持部に格納し、
前記無線通信判断部は、
前記データ保持部が保持している前記接続状態情報に基づいて、前記無線通信部と前記被制御機器との無線通信ができるか否かを判断する
請求項１〜５のいずれか１項に記載のリモコン。
【請求項７】
前記制御部は、前記受付部が前記音声を受け付けた場合であって、前記無線通信部と前記被制御機器との無線通信ができないと前記無線通信判断部が判断した場合には、前記被制御機器の無線通信を開始させるための制御コマンドであるオンコマンドを前記赤外線送信部を用いて送信する
請求項３に記載のリモコン。
【請求項８】
被制御機器を制御するためのリモコンであって、赤外線により情報を送信する赤外線送信部と、電波による無線通信により情報を送信する無線通信部とを備えるリモコンの通信方法であって、
前記被制御機器に送信する制御情報をユーザから受け付ける受付ステップと、
前記無線通信部と前記被制御機器との無線通信ができるか否かを判断する無線通信判断ステップと、
前記無線通信判断ステップでの判断結果に基づいて、前記赤外線送信部及び前記無線通信部のうち前記被制御機器に前記制御情報を送信する一方を選択し、選択した前記一方を用いて前記被制御機器に前記制御情報を送信する制御ステップとを含む
リモコンの通信方法。
【発明の詳細な説明】
【技術分野】
【０００１】
本開示は、リモートコントローラ（以下、リモコンと称する）、およびリモコンの通信方法に関する。
【背景技術】
【０００２】
特許文献１は、赤外線送信と無線送信とを自動的に選択可能な遠隔制御システムおよび方法を開示する。この方法は、制御されるデバイスへの通信のための入力指令を受信する段階、及び、入力指令に基づいて使用コンテクストを判断する段階を含む。そして、コンテクストの判断に基づいて、赤外線送信機及び無線周波数送信機による通信が制御される。これにより、入力指令に応じた送信方式を選択することができる。
【先行技術文献】
【特許文献】
【０００３】
【特許文献１】特表２０１２−５０８５０２号公報
【発明の概要】
【発明が解決しようとする課題】
【０００４】
本開示は、通信手段を選択する操作のわずらわしさを軽減するリモコンおよびリモコンの通信方法を提供する。
【課題を解決するための手段】
【０００５】
本開示におけるリモコンは、被制御機器を制御するためのリモコンであって、赤外線により情報を送信する赤外線送信部と、電波による無線通信により情報を送信する無線通信部と、前記被制御機器に送信する制御情報をユーザから受け付ける受付部と、前記無線通信部と前記被制御機器との無線通信ができるか否かを判断する無線通信判断部と、前記無線通信判断部の判断結果に基づいて、前記赤外線送信部及び前記無線通信部のうち前記被制御機器に前記制御情報を送信する一方を選択し、選択した前記一方を用いて前記被制御機器に前記制御情報を送信する制御部とを備える。
【発明の効果】
【０００６】
本開示におけるリモコンは、通信手段を選択するユーザによる操作のわずらわしさを軽減することができる。
【図面の簡単な説明】
【０００７】
【図１】実施の形態１におけるリモコンが用いられる遠隔操作システムの構成を示す図
【図２】実施の形態１におけるリモコンの構成を示すブロック図
【図３】実施の形態１におけるリモコンの内部状態の遷移を示す図
【図４】実施の形態１におけるリモコンの情報受付時の動作を示すフローチャート
【図５】実施の形態１におけるリモコンの情報受付時の被制御機器との通信を示すシーケンス図
【図６】実施の形態１におけるリモコンの情報受付時に省電力状態となっている被制御機器との通信を示すシーケンス図
【図７】実施の形態２におけるリモコンの構成を示すブロック図
【図８】実施の形態２におけるリモコンの情報受付時の動作を示すフローチャート
【図９】実施の形態２におけるリモコンの情報受付時の被制御機器との通信を示すシーケンス図
【図１０】実施の形態２におけるリモコンの情報受付時の被制御機器との通信を示すシーケンス図
【図１１】実施の形態３におけるリモコンの情報受付時の動作を示すフローチャート
【図１２】実施の形態３におけるリモコンの情報受付時に被制御機器が無線通信不可能な状態である場合の処理の流れを示すシーケンス図
【発明を実施するための形態】
【０００８】
以下の説明では、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって請求の範囲に記載の主題を限定することを意図するものではない。
【００１０】
＜従来のリモコンによる遠隔操作の説明＞
まず、従来のリモコンを用いた遠隔操作について説明する。テレビやＤＶＤレコーダなどのＡＶ機器では、一般に、リモコンを用いて遠隔操作を行うことができるようになっている。
【００１１】
通常、１つのリモコンで遠隔操作が可能な機器（以降、被制御機器ともいう）は１つであることが多い。一方、１つのリモコンが、２つ以上の被制御機器の遠隔操作を行うことができる場合もある。具体的には、ＤＶＤレコーダ用の操作ボタンと、テレビ用の操作ボタンとを有し、テレビとＤＶＤレコーダとを操作できるリモコンが存在する。
【００１２】
リモコンと、遠隔操作の対象となる機器との間の通信手段は、赤外線通信が広く用いられてきた。最近では、赤外線通信に加えて、Ｂｌｕｅｔｏｏｔｈ（登録商標）などの近距離無線通信を用いたリモコンが実用化されてきている。
【００１３】
無線通信を用いたリモコンは、通信の指向性がない通信手段を用いる場合には、リモコンの向きに関係なく通信を行うことができる点、及び、リモコンと被制御機器との間に障害物が存在する場合にも通信を行うことができる点において利便性が高い。
【００１４】
また、赤外線通信を用いたリモコンは、通信の速度が遅いので、再生又は停止という命令（以降、「制御コマンド」又は「制御情報」ともいう）のような比較的小さい容量の単純な制御コードを送信するのみのものが多い。一方、無線通信を用いたリモコンは、音声データ（以降、「音声情報」ともいう）のように、単純な命令と比べて大きな容量のデータを送信することも可能である。
【００１５】
しかしながら、無線通信によるデータの送受信は、常にデータの待ち受けをする被制御機器には適していない。なぜなら、無線通信によるデータの送受信は、赤外線通信を用いたデータの送受信に比べると消費電力が大きく、また、容量の大きなデータを受信することにより情報の処理量が大きいからである。
【００１６】
特許文献１に開示される遠隔制御システムでは、入力に応じた通信手段の選択が可能であるが、被制御機器の状態に応じた選択が可能となっていない。そのため、被制御機器がどのような状態にある場合にも制御を可能とするためには、リモコンは、無線通信を用いて送信するための通信手段と、赤外線通信を用いて送信する通信手段との２つの通信手段を備える必要がある。さらに、リモコンが上記２つの通信手段を備える場合、被制御機器の状態に応じてそれぞれの通信手段を操作し分けなければならないので、リモコン操作が煩雑でわかりにくいものとなってしまう。
【００１７】
そこで、本開示は、通信手段を選択する操作のわずらわしさを軽減するリモコンおよびリモコンの通信方法を提供する。言い換えれば、本開示は、被制御機器の状態に応じて適切な通信手段が選択され、ユーザが通信手段を操作し分ける必要のないリモコンおよびリモコンの通信方法を提供する。
【００１８】
本開示の一態様に係るリモコンは、被制御機器を制御するためのリモコンであって、赤外線により情報を送信する赤外線送信部と、電波による無線通信により情報を送信する無線通信部と、前記被制御機器に送信する制御情報をユーザから受け付ける受付部と、前記無線通信部と前記被制御機器との無線通信ができるか否かを判断する無線通信判断部と、前記無線通信判断部の判断結果に基づいて、前記赤外線送信部及び前記無線通信部のうち前記被制御機器に前記制御情報を送信する一方を選択し、選択した前記一方を用いて前記被制御機器に前記制御情報を送信する制御部とを備える。
【００１９】
これによれば、リモコンは、被制御機器との無線通信ができるか否かに基づいて、被制御機器に制御情報を送信するのに赤外線を用いるか、無線通信を用いるかを適切に選択する。このとき、ユーザは、リモコンと被制御機器との無線通信ができるか否かを判断する必要がなく、その結果、赤外線又は無線通信の通信手段を選択する操作を行う必要がない。よって、リモコンは、通信手段を選択するユーザによる操作のわずらわしさを軽減することができる。
【００２０】
また、前記制御部は、（ｉ）前記無線通信部と前記被制御機器との無線通信ができると前記無線通信判断部が判断した場合に、前記無線通信部を選択し、（ｉｉ）前記無線通信部と前記被制御機器との無線通信ができないと前記無線通信判断部が判断した場合に、前記赤外線送信部を選択する。
【００２１】
これによれば、リモコンは、被制御機器に情報を送信するのに、被制御機器との無線通信ができる場合には無線通信を用い、被制御機器との無線通信ができない場合には赤外線を用いる。よって、リモコンは、被制御機器との無線通信の可否に応じて、適切に通信手段を選択することができる。
【００２２】
また、前記受付部は、さらに、前記被制御機器に送信する音声を、音声情報としてユーザから受け付け、前記制御部は、さらに、前記受付部が前記音声情報を受け付けた場合には、前記無線通信部を用いて前記被制御機器に前記音声情報を送信する。
【００２３】
これによれば、リモコンは、被制御機器に送信すべき情報が音声データである場合には、当該情報を無線通信を用いて送信する。音声データは、制御コマンドと比較してデータ量が大きいので、高速な通信が可能である無線通信を用いて送信されるのが適切である。よって、リモコンは、送信すべき情報の種別に応じて、適切に通信手段を選択することができる。
【００２４】
また、前記無線通信判断部は、（ｉ）前記被制御機器が無線通信をする機能を有する機器である場合には、前記無線通信部と前記被制御機器との無線通信ができると判断し、（ｉｉ）前記被制御機器が無線通信をする機能を有しない機器である場合には、前記無線通信部と前記被制御機器との無線通信ができないと判断する。
【００２５】
これによれば、リモコンは、情報を送信する対象となる被制御機器が、無線通信ができない場合に赤外線を用いて情報を送信する。よって、リモコンは、情報を送信する対象となる被制御機器の無線通信の可否に応じて、適切に通信手段を選択することができる。
【００２６】
また、前記制御部は、さらに、前記被制御機器との無線通信の接続の確立を前記無線通信部にさせ、前記無線通信判断部は、（ｉ）前記無線通信部が前記被制御機器との無線通信の接続を確立した場合には、前記無線通信部と前記被制御機器との無線通信ができると判断し、（ｉｉ）前記無線通信部が前記被制御機器との無線通信の接続を確立できなかった場合には、前記無線通信部と前記被制御機器との無線通信ができないと判断する。
【００２７】
これによれば、リモコンは、被制御機器との無線通信の接続の確立を試み、接続の確立が成功したことにより、無線通信ができる状態であると判断する。これにより、具体的に、無線通信の可否を判断することができる。
【００２８】
また、前記リモコンは、さらに、データ保持部を有し、前記制御部は、前記被制御機器との無線通信の接続の確立、又は、前記接続が確立していることの確認を前記無線通信部にさせ、前記接続が確立しているか否かを示す接続状態情報を前記データ保持部に格納し、前記無線通信判断部は、前記データ保持部が保持している前記接続状態情報に基づいて、前記無線通信部と前記被制御機器との無線通信ができるか否かを判断する。
【００２９】
これによれば、リモコンは、被制御機器に制御コマンドを送信するまでの時間を短縮することができる。仮に無線通信の接続が確立していないとすると、リモコンが被制御機器に接続状態の問い合わせを行い、問い合わせが完了するまでに所定の時間を要する。無線通信の接続状態の問い合わせを行わないことにより、被制御機器に制御コマンドを送信するまでの時間を短縮することができる。
【００３０】
また、前記制御部は、前記受付部が前記音声を受け付けた場合であって、前記無線通信部と前記被制御機器との無線通信ができないと前記無線通信判断部が判断した場合には、前記被制御機器の無線通信を開始させるための制御コマンドであるオンコマンドを前記赤外線送信部を用いて送信する。
【００３１】
これによれば、リモコンは、無線通信が確立していない被制御機器に対して、無線通信ができる状態にするための制御コマンドを赤外線通信により送信する。これにより、リモコンは、被制御機器を無線通信ができる状態に遷移させ、その後、被制御機器との通信を行う。よって、リモコンは、無線通信が確立していない状態の被制御機器に対しても、無線通信により情報を送信することができる。
【００３２】
また、本開示の一態様に係るリモコンの通信方法は、被制御機器を制御するためのリモコンであって、赤外線により情報を送信する赤外線送信部と、電波による無線通信により情報を送信する無線通信部とを備えるリモコンの通信方法であって、前記被制御機器に送信する制御情報をユーザから受け付ける受付ステップと、前記無線通信部と前記被制御機器との無線通信ができるか否かを判断する無線通信判断ステップと、前記無線通信判断ステップでの判断結果に基づいて、前記赤外線送信部及び前記無線通信部のうち前記被制御機器に前記制御情報を送信する一方を選択し、選択した前記一方を用いて前記被制御機器に前記制御情報を送信する制御ステップとを含む。
【００３３】
これによれば、上記のリモコンと同様の効果を奏する。
【００３４】
（実施の形態１）
本実施の形態において、被制御機器を制御するためのリモコンであって、通信手段を選択する操作のわずらわしさを軽減するリモコンおよびリモコンの通信方法等について説明する。
【００３５】
具体的には、本開示におけるリモコンは、より利便性の高い無線通信の通信部と、より消費電力を小さくすることができる赤外線通信の送信部とを備え、被制御機器の構成や状態に基づいて、上記通信手段のうち適切な手段を選択して通信を行う。これにより、ユーザが高い利便性を得ると同時に、消費電力を少なくしたシステムを構成することができる。
【００３６】
図１は、本実施の形態に係るリモコンが用いられる遠隔操作システムを示す図である。図１の遠隔操作システムは、ＤＶＤレコーダ１０１と、テレビ１０４と、リモコン１０６とを備える。
【００３７】
ＤＶＤレコーダ１０１は、無線通信部１０２と、赤外線受信部１０３とを備える。ＤＶＤレコーダ１０１は、リモコン１０６が送信する情報を受信する機器（つまり、被制御機器）の第一例である。
【００３８】
無線通信部１０２は、無線通信により、リモコン１０６から制御コマンド又は音声データを受信する。
【００３９】
赤外線受信部１０３は、赤外線通信により、リモコン１０６から制御コマンドを受信する。
【００４０】
また、ＤＶＤレコーダ１０１は、電力消費を抑えるために一部の機能のみを稼働するスタンバイモードを有する。スタンバイモードにおいて、無線通信部１０２は稼働せず、赤外線受信部１０３は稼働する。
【００４１】
テレビ１０４は、赤外線受信部１０５を備える。テレビ１０４は、リモコン１０６が送信する情報を受信する機器の第二例である。
【００４２】
赤外線受信部１０５は、ＤＶＤレコーダ１０１における赤外線受信部１０３と同じ機能を有する。
【００４３】
リモコン１０６は、無線通信部１０７と、赤外線送信部１０８とを含む。リモコン１０６は、ＤＶＤレコーダ１０１とテレビ１０４との両方を対象として、情報又は制御コマンドを送信することができる。
【００４４】
リモコン１０６およびＤＶＤレコーダ１０１とは、それぞれの無線通信部１０７、１０２を通じて、双方向に通信を行う。
【００４５】
また、リモコン１０６と、ＤＶＤレコーダ１０１またはテレビ１０４とは、赤外線送信部１０８を通じて、赤外線受信部１０３、または、赤外線受信部１０５に対して赤外線通信を行う。
【００４６】
なお、上記のとおり、ＤＶＤレコーダ１０１およびテレビ１０４は被制御機器の一例であり、実施の形態はこれらに限定されるものではない。
【００４７】
＜リモコンの構成＞
図２は、リモコン１０６の構成を示すブロック図である。
【００４８】
図２に示されるように、リモコン１０６は、受付部２０５と、制御部２０１と、無線通信部１０７と、赤外線送信部１０８とを備える。
【００４９】
受付部２０５は、被制御機器に送信する制御コマンド又は音声をユーザから受け付ける。受付部２０５は、コマンド受付部２０６と音声受付部２０７とを有する。
【００５０】
コマンド受付部２０６は、被制御機器を制御するための制御コマンドに対応する動作による操作を受け付ける。
【００５１】
コマンド受付部２０６は、例えば、ボタン又はタッチパッドであり、ユーザによるボタンの押下、又は、パッド上でのスライド操作などの動作による操作を受け付ける。そして、コマンド受付部２０６は、押下されたボタンの種別、又は、パッド上で行われた操作の種別に対応する制御コマンドを、非制御機器を制御するための制御コマンドと解釈する。例えば、コマンド受付部２０６は、リモコン１０６の再生ボタン（図面に非表示）が押下された場合、「ＤＶＤレコーダ１０１に対する再生開始」の制御コマンドであると解釈する。
【００５２】
音声受付部２０７は、音声の入力を受け付ける。音声受付部２０７は、例えば、マイクである。ユーザが音声受付部２０７に向かって音声を発することにより話しかけると、音声受付部２０７は、ユーザが発生した音声を受け付け、受け付けた音声に対応する音声データを生成する。
【００５３】
生成された音声データは、そのまま被制御機器に送信される。具体的には、リモコン１０６は、生成された音声データを被制御機器に送信する。被制御機器は、その音声を解析し、解析結果を利用する。例えば、音声受付部２０７が「再生」という音声を受け付けると、受け付けた音声に対応する音声データが被制御機器に送信される。そして、被制御機器は、音声データを解析することで当該音声データが「再生」という音声を取得し、再生開始のコマンドとして解釈する。
【００５４】
制御部２０１は、受付部２０５（つまり、コマンド受付部２０６または音声受付部２０７）から取得したユーザによる入力、及び、無線通信部１０７から取得したＤＶＤレコーダ１０１との無線接続状態に基づいて、無線通信部１０７または赤外線送信部１０８を用いて、ＤＶＤレコーダ１０１またはテレビ１０４に対して制御コマンドまたはデータを送信する。
【００５５】
制御部２０１は、無線通信判断部２０２を有する。
【００５６】
無線通信判断部２０２は、無線通信部１０２と被制御機器との無線通信ができるか否かを判断する。判断方法は、後で詳しく説明する。
【００５７】
赤外線送信部１０８は、ＤＶＤレコーダ１０１またはテレビ１０４への制御コマンドの送信を行う。
【００５８】
無線通信部１０７は、ＤＶＤレコーダ１０１との無線通信の無線接続の確立および切断、ＤＶＤレコーダ１０１への制御コマンドの送信および音声データの送信を行う。無線通信の手段として赤外線ではなく電波を用いる。無線通信部１０７は、例えば、Ｂｌｕｅｔｏｏｔｈ（登録商標）等の近接無線通信を利用してもよい。また、無線通信部１０７は、ＩＥＥＥ８０２．１１ａ、ｂ、ｇ等に適合する無線ＬＡＮを利用してもよいし、ＺｉｇＢｅｅを利用してもよい。
【００５９】
図３は、リモコン１０６の内部状態の遷移を示す図である。
【００６０】
リモコン１０６は、最初、電源オフ状態３００にある。
【００６１】
リモコン１０６は、電源が投入されると、電源オン状態３１０に遷移する。電源オン状態３１０には、図３に示すようにリセット解除状態３０１等を含む複数の状態が含まれる。これら複数の状態について詳しく説明する。
【００６２】
電源オフ状態３００において、電源が投入されると、リモコン１０６は、リセット解除状態３０１へ遷移する。リセット解除状態３０１では、制御部２０１及び受付部２０５等の初期設定が行われる。上記の初期設定が完了すると、リモコン１０６は、待機状態３０２へ遷移する。
【００６３】
待機状態３０２では、無線通信部１０７、赤外線送信部１０８、及び、制御部２０１は省電力状態での動作を行う。待機状態３０２は、リモコン１０６全体として消費電力が低く抑えられた状態である。待機状態３０２において、コマンド受付部２０６がユーザによる何らかの操作を受け付けると、リモコン１０６は、入力受付状態３０３へ遷移する。
【００６４】
入力受付状態３０３では、制御部２０１は、コマンド受付部２０６又は音声受付部２０７が受け付けた情報を受け取り、当該情報を送信する対象となる被制御機器と、当該被制御機器に対する操作の指示とを決定する。
【００６５】
次に、被制御機器に対して赤外線通信を用いた制御コマンドの送信を行う場合には、リモコン１０６は、赤外線送信状態３０４へ遷移する。赤外線送信状態３０４において、制御コマンドの送信が完了すると、リモコン１０６は、入力受付状態３０３へと遷移する。
【００６６】
一方、被制御機器に対して無線通信を用いた制御コマンド又は音声データの送信を行う場合には、リモコン１０６は、無線送信状態３０５へ遷移する。無線送信状態３０５において、制御コマンド又は音声データの送信が完了すると、リモコン１０６は、入力受付状態３０３へ遷移する。
【００６７】
赤外線送信状態３０４および無線送信状態３０５へは、入力受付状態３０３からしか遷移することができないので、待機状態３０２にあるリモコン１０６が赤外線送信又は無線送信を行うことはできない。
【００６８】
＜リモコンの内部動作＞
図４は、実施の形態１におけるリモコンの情報受付時の動作を示すフローチャートである。リモコン１０６が、コマンド受付部２０６又は音声受付部２０７により情報の入力を検出した場合の動作の詳細について、図４を用いて説明する。
【００６９】
コマンド受付部２０６又は音声受付部２０７が情報の入力を検出すると、受付部２０５は、その入力によって送信されるのが制御コマンドであるか音声データであるかの決定を行う（ステップＳ４０１）。例えば、受付部２０５は、音声受付部２０７からの入力は全て音声データとして送信されると決定する。音声データは、制御コマンドよりもデータ量が大きいので、赤外線通信による送信は行われず（ステップＳ４０１でＮＯ）、ステップＳ４０６で無線通信を用いて被制御機器に送信される。
【００７０】
また、受付部２０５は、送信されるのが制御コマンドである場合には、当該制御コマンドを送信する対象となる被制御機器を決定し、決定した被制御機器が無線通信を行う機能を有する機器であるか否かの判定を行う（ステップＳ４０２）。
【００７１】
具体的には、送信されるのがＤＶＤレコーダ１０１に対する制御コマンドである場合には、受付部２０５は、被制御機器がＤＶＤレコーダ１０１であると決定する。また、受付部２０５は、被制御機器であるＤＶＤレコーダ１０１が、無線通信を行う機能を有する機器であると判定する。
【００７２】
一方、送信されるのがテレビ１０４に対する制御コマンドである場合には、受付部２０５は、被制御機器がテレビ１０４であると決定する。また、受付部２０５は、被制御機器であるテレビ１０４が、無線通信を行う機能を有しない機器であると判定する。
【００７３】
被制御機器が、無線通信を行う機能を有しない機器である場合（ステップＳ４０２でＮＯ）には、赤外線送信部１０８は、赤外線通信を使用して制御コマンドの送信を行う（ステップＳ４０５）。
【００７４】
被制御機器が、無線通信を行う機能を有する機器である場合、無線通信部１０７は、被制御機器との無線通信の状態を取得し（ステップＳ４０３）、無線通信の接続が確立しているかどうかの判定を行う（ステップＳ４０４）。
【００７５】
無線通信の接続が確立している場合には（ステップＳ４０４でＹＥＳ）、無線通信部１０７は、無線通信による制御コマンドの送信を行う（ステップＳ４０６）。
【００７６】
また、無線通信の接続が切断されている場合（ステップＳ４０４でＮＯ）には、赤外線送信部１０８は、赤外線通信による制御コマンドの送信を行う（ステップＳ４０５）。
【００７７】
図５は、本実施の形態におけるリモコンの情報受付時の被制御機器との通信を示すシーケンス図である。図５を用いてステップＳ４０３、Ｓ４０４およびＳ４０６にて行われる無線通信の接続状態の取得から無線通信による制御コマンドの送信までの処理の流れについての詳細を説明する。
【００７８】
リモコン１０６は、定常時は、消費電力の少ない待機状態３０２にある。待機状態３０２にあるリモコン１０６が、コマンド受付部２０６がユーザからの操作を検出する（ステップＳ５０１）と、入力の検出、並びに、制御コマンド及びデータの送信が可能である入力受付状態３０３に遷移する。
【００７９】
制御部２０１の無線通信判断部２０２は、コマンド受付部２０６からの入力を解析し、無線通信によって送信することを決定すると、ＤＶＤレコーダ１０１との無線接続が確立しているか否かを無線通信部１０７により判断する。
【００８０】
具体的には、無線通信部１０７がＤＶＤレコーダ１０１に対して無線通信の接続要求を送信する（ステップＳ５０２）。送信した接続要求に対してＤＶＤレコーダ１０１が応答することができる場合、無線通信部１０７とＤＶＤレコーダ１０１との無線通信が確立される。無線通信が確立された場合、ＤＶＤレコーダ１０１からリモコン１０６に対して無線通信の接続確立を意味するメッセージが送信される（ステップＳ５０３）。無線通信判断部２０２は、接続確立のメッセージを受信することで、ＤＶＤレコーダ１０１との無線接続が確立していると判断する。
【００８１】
制御部２０１は、ＤＶＤレコーダ１０１から接続確立のメッセージを受信したことで、無線通信の接続が確立していると判断すると、無線通信部１０７を用いて無線通信によって制御コマンドを送信する（ステップＳ５０４）。
【００８２】
制御コマンドの送出が完了すると、制御部２０１は、消費電力を小さくするため、待機状態３０２に遷移する。
【００８３】
図６は、本実施の形態におけるリモコンの情報受付時に省電力状態となっている被制御機器との通信を示すシーケンス図である。図６を用いて、ステップＳ４０３、Ｓ４０４およびＳ４０５にて、無線接続が切断されている場合に行われる一連の処理の流れについての詳細を説明する。
【００８４】
リモコン１０６は、待機状態３０２にあるときにコマンド受付部２０６によってユーザからの操作を検出する（ステップＳ５０１）と、入力受付状態３０３に遷移し、入力の解析と制御コマンドの送信とを行う。
【００８５】
制御部２０１の無線通信判断部２０２は、ＤＶＤレコーダ１０１に対して無線通信によって制御コマンドを送信することを決定すると、ＤＶＤレコーダ１０１との無線接続が確立しているか否かを無線通信部１０７により判断する。
【００８６】
ＤＶＤレコーダ１０１が無線通信を行えない状態にあると、無線通信部１０７はＤＶＤレコーダ１０１との無線接続の確立を確認することができない。無線通信を行えないような状態とは、例えば、無線通信に関わる機能をオフにすることで電力消費を抑えるスタンバイモードである。
【００８７】
具体的には、上記同様、無線通信部１０７がＤＶＤレコーダ１０１に対して無線通信の接続要求を送信する具体的には、無線通信部１０７がＤＶＤレコーダ１０１に対して無線通信の接続要求を送信する（ステップＳ５０２）。送信した接続要求に対して、ＤＶＤレコーダ１０１が応答することができない場合、無線通信部１０７とＤＶＤレコーダ１０１との無線通信が確立されない（ステップＳ６０１）。無線通信部１０７が送信した接続要求に対して、既定の時間が経過しても無線接続の確立が確認されない場合、無線通信判断部２０２は、ＤＶＤレコーダ１０１との無線接続は使用できないと判断し、赤外線通信によって制御コマンドを送出する（ステップＳ６０２）。
【００８８】
制御コマンドの送出が完了すると、制御部２０１は、消費電力を小さくするため、待機状態３０２に遷移する。
【００８９】
＜効果など＞
本実施の形態におけるリモコンは、音声入力があった場合には、無線通信を選択して音声データを被制御機器に転送する。このことにより、ユーザが明示的に指示しなくても、赤外線通信又は電波による無線通信のうち適切な通信手段を選択することができる。
【００９０】
（実施の形態２）
本実施の形態において、無線通信の接続状態を示す情報を保持し、保持した情報を用いて短時間で被制御機器との通信を行うリモコンについて説明する。
【００９１】
図７は、本実施の形態におけるリモコン７０６の構成を示すブロック図である。
【００９２】
図７に示されるように、本実施の形態におけるリモコン７０６は、実施の形態１におけるリモコン１０６に加えて、データ保持部７０３を備える。
【００９３】
制御部７０１は、コマンド受付部２０６または音声受付部２０７が受け付けた、ユーザによる入力と、データ保持部７０３に保持しておいたＤＶＤレコーダ１０１との無線接続状態とに基づいて、無線通信部１０７または赤外線送信部１０８を用いて、ＤＶＤレコーダ１０１またはテレビ１０４に対して制御コマンドあるいはデータを送信する。
【００９４】
本実施の形態においても、実施の形態１と同様、リモコン７０６は、図３に示す内部状態を有する。
【００９５】
図８は、リモコン７０６が入力部２０３および入力部２０４からの入力を検出した場合の動作の詳細について説明したフローチャートである。
【００９６】
コマンド受付部２０６または音声受付部２０７がユーザによる入力を検出すると、受付部２０５は、その入力によって送信されるのが制御コマンドであるか音声データであるかの決定を行う（ステップＳ８０１）。例えば、受付部２０５は、音声受付部２０７からの入力は全て音声データとして送信されると決定する。その場合、入力されたデータは無線通信を用いて被制御機器に送信される（ステップＳ８０６）。
【００９７】
また、受付部２０５は、送信されるのが制御コマンドである場合には、当該制御コマンドを送信する対象となる被制御機器を決定し、決定した被制御機器が無線通信を行う機能を有する機器であるか否かの判定を行う（ステップＳ８０２）。
【００９８】
被制御機器が、無線通信を行う機能を有しない機器である場合（ステップＳ８０２でＮＯ）には、制御部７０１は赤外線送信部１０８を用いて、赤外線通信による制御コマンドの送信を行う（ステップＳ８０５）。
【００９９】
被制御機器が、無線通信を行う機能を有する機器である場合、制御部７０１は、被制御機器との無線通信の状態を示す情報をあらかじめ保持しているデータ保持部７０３から取得し（ステップＳ８０３）、無線通信の接続が確立しているか否かの判定を行う（ステップＳ８０４）。
【０１００】
無線通信部１０７と被制御機器との無線通信の接続が確立している場合（ステップＳ８０４でＹＥＳ）には、制御部７０１は、無線通信部１０７を用いて無線通信による制御コマンドの送信を行う（ステップＳ８０７）。
【０１０１】
一方、無線通信部１０７と被制御機器との無線通信の接続が確立していない場合（ステップＳ８０４でＮＯ）には、赤外線送信部１０８を用いて赤外線通信による制御コマンドの送信を行う（ステップＳ８０５）。
【０１０２】
あらかじめ無線接続の状態を取得しておく場合、無線接続の状態を取得したときには接続が確立したとしても、無線通信による制御コマンドの送信を行うときには無線接続が切断されている可能性がある。そのため、ステップＳ８０７での送信を行った後に、無線通信による情報の送信が成功したか否かの判定を行うステップＳ８０８を設けてもよい。その場合、無線の送信が失敗した場合（ステップＳ８０８でＮＯ）には、赤外線通信により同じ内容の制御コマンドを再送信する（ステップＳ８０５）。
【０１０３】
図９は、本実施の形態におけるリモコンの情報受付時の被制御機器との通信を示すシーケンス図である。あらかじめ行われるリモコン７０６のＤＶＤレコーダ１０１との無線接続状態の確認と、保持された無線接続状態を用いて、無線通信による制御コマンドの送信を行う場合の一連の処理の流れを図９で説明する。
【０１０４】
リモコン７０６は、ユーザから制御コマンドの入力を受け付けると、実施の形態１におけるリモコン１０６と同様に無線接続を確立した後に無線通信で制御コマンドを送信する（ステップＳ５０１〜Ｓ５０４）。
【０１０５】
ステップＳ５０４においてリモコン７０６が無線通信で制御コマンドを送信した後、制御部７０１は、無線通信の接続が確立していることを示す情報をデータ保持部７０３に格納する（ステップＳ９０１）。その後、リモコン７０６は、待機状態３０２に遷移する。
【０１０６】
リモコン７０６は、待機状態３０２にある時間が一定時間を超えると、入力受付状態３０３に遷移し、被制御機器であるＤＶＤレコーダ１０１との無線通信の接続が確立しているか否かの確認を行う（ステップＳ９０２及びＳ９０３）。なお、上記一定時間は、例えば、１０ｍｓｅｃ程度とすることができる。
【０１０７】
ステップＳ９０２及びＳ９０３において無線通信の接続が確立していることが確認されると、制御部７０１は、無線通信の接続が確立していることを示す情報をデータ保持部７０３に格納する（ステップＳ９０４）。その後、リモコン７０６は、待機状態３０２に遷移する。
【０１０８】
上記の処理を一定間隔で行い、データ保持部７０３にはＤＶＤレコーダ１０１との最近の接続状態が記憶されているようにしておく。
【０１０９】
コマンド受付部２０６からの入力が検出される（ステップＳ９０５）と、リモコン７０６は、待機状態３０２から入力受付状態３０３へ遷移する。入力受付状態３０３では、制御部７０１は、ＤＶＤレコーダ１０１との無線接続が確立しているか否かを示す情報をデータ保持部７０３から取得し（ステップＳ９０６）、無線接続が確立しているならば、無線通信部１０７を用いて無線通信によりＤＶＤレコーダ１０１に制御コマンドを送信する（ステップＳ９０７）。
【０１１０】
図１０は、無線接続が確立されていないという要因により、赤外線通信で制御コマンドを送信する場合の処理の流れを示した図である。
【０１１１】
図９の場合と同様、リモコン７０６は、一定時間毎に、ＤＶＤレコーダ１０１との無線接続の状態を確認し、最近の状態をデータ保持部７０３に記憶しておく。
【０１１２】
無線接続の確認を行ったときに、既定の時間以内に無線通信の接続が確立していることを確認できなかった場合（ステップＳ１００１）に、無線通信の接続は確立していない（例えば、切断されている）とみなし、制御部７０１はその情報をデータ保持部７０３に記憶しておく（ステップＳ１００２）。
【０１１３】
コマンド受付部２０６からの制御コマンドの入力が検出される（ステップＳ１００３）と、リモコン７０６は、待機状態３０２から入力受付状態３０３へ遷移する。制御部７０１は、ＤＶＤレコーダ１０１との無線接続が確立しているか否かの情報をデータ保持部７０３から取得する（ステップＳ１００４）。上記ステップＳ１００２において、無線接続が確立していないことを示す情報をデータ保持部７０３に格納したので、制御部７０１は、上記ステップＳ１００４において無線接続が確立していないことを示す情報を取得する。無線接続が確立していない場合、制御部７０１は、赤外線送信部１０８を用い、赤外線通信によって制御コマンドをＤＶＤレコーダ１０１に送信する（ステップＳ１００５）。
【０１１４】
なお、ステップＳ１００３でコマンド受付部２０６が制御コマンドの入力を受け付けたのが、ステップＳ１００１で無線通信の接続が確認できなかった時から所定時間を経過した後であった場合、リモコン７０６は、新たに無線通信を確立する処理（ステップＳＳ５０１〜Ｓ５０４）を行ってもよい。無線通信の接続が確認できなかった時から所定時間を経過したら、無線通信の接続が復旧している可能性があるからである。
【０１１５】
以上の動作により、リモコン７０６は、入力部２０３からユーザによる同じ操作が検出された場合でも、ＤＶＤレコーダ１０１の状態に応じて適切な通信手段を選択し、無線通信部１０７あるいは赤外線送信部１０８を用いて被制御機器に制御コマンドを送信することができる。
【０１１６】
＜効果など＞
以上のように、本実施の形態では、リモコン７０６は、入力部２０３および入力部２０４からの入力がない場合でも、被制御機器であるＤＶＤレコーダ１０１との最新の通信状態をデータ保持部７０３に保持する。これによって、リモコン７０６からの制御コマンドとは関係ない要因でＤＶＤレコーダ１０１の状態が変化し、無線通信が可能な状態から無線通信が不可能な状態に遷移した場合においても、リモコン７０６はＤＶＤレコーダ１０１の状態を知ることができ、制御部７０１は適切な通信手段を選択することが可能となる。
【０１１７】
また、本実施の形態では、コマンド受付部２０６が制御コマンドの入力を受け付けた場合に、無線通信の接続状態の問い合わせを行わずに、データ保持部７０３から取得した情報に基づいて無線通信の接続が確立しているか否かを判断する（ステップＳ９０６及びステップＳ１００４）。仮に無線通信の接続が確立していないとすると、リモコンが被制御機器に接続状態の問い合わせを行い、問い合わせが完了するまでに所定の時間を要する。よって、無線通信の接続状態の問い合わせを行わないことにより被制御機器に制御コマンドを送信するまでの時間を短縮することができる。
【０１１８】
（実施の形態３）
本実施の形態において、無線通信が確立していない被制御機器に対して、無線通信ができる状態にするための制御コマンドを赤外線通信により送信することで、被制御機器との通信を行うリモコンについて説明する。
【０１１９】
なお、ＤＶＤレコーダ１０１は、実施の形態１におけるスタンバイモードの他に、「スタンバイモード２」をとりうる。スタンバイモード２では、無線通信部１０２及び赤外線受信部１０３の両方が稼働する。本実施の形態において、実施の形態１におけるスタンバイモードのことをスタンバイモード１という。
【０１２０】
以下、図７、図１１、図１２を用いて、本実施の形態について説明する。
【０１２１】
本実施の形態に係るリモコンの構成は、実施の形態２の場合と同等であり、図７に示す。
【０１２２】
図１１は、本実施の形態におけるリモコンの情報受付時の動作を示すフローチャートである。具体的には、図１１は、コマンド受付部２０６または音声受付部２０７によりユーザ操作を検出した場合のリモコン７０６の動作を示すフローチャートである。
【０１２３】
コマンド受付部２０６または音声受付部２０７がユーザの操作の入力を検出すると、制御部７０１は、ステップＳ１１０１にて、その入力によって送信されるのが制御コマンドであるか音声データであるかの決定を行う。
【０１２４】
送信されるのが制御コマンドである場合（ステップＳ１１０１でＹＥＳ）は、制御部７０１は、当該制御コマンドを送信する対象となる被制御機器を決定し、決定した被制御機器が、無線通信を行う機能を有する機器であるか否かの判定を行う（ステップＳ１１０２）。被制御機器が、無線通信を行う機能を有しない機器である場合（ステップＳ１１０２でＮＯ）には、制御部７０１は、赤外線送信部１０８を用いて、赤外線通信による制御コマンドの送信を行う（ステップＳ１１０５）。
【０１２５】
被制御機器が、無線通信を行う機能を有する機器である場合（ステップＳ１１０２でＹＥＳ）、制御部７０１は、被制御機器との無線通信の状態をあらかじめ保持しているデータ保持部７０３から取得し（ステップＳ１１０３）、無線通信の接続が確立しているか否かの判定を行う（ステップＳ１１０４）。
【０１２６】
無線通信部１０７と被制御機器との無線通信の接続が確立している場合（ステップＳ１１０４でＹＥＳ）には、制御部７０１は、無線通信部１０７を用いて無線通信による制御コマンドの送信を行う（ステップＳ１１０７）。一方、無線通信の接続が確立していない場合には、赤外線送信部１０８を用いて赤外線通信による制御コマンドの送信を行う（ステップＳ１１０５）。
【０１２７】
一方、送信されるのが音声データである場合（ステップＳ１１０１でＮｏ）、ステップＳ１１０３において行うのと同様に、制御部７０１は、被制御機器との無線通信の接続状態をデータ保持部７０３から取得する（ステップＳ１１０７）。
【０１２８】
そして、無線通信部１０７と被制御機器との無線接続が確立している場合（ステップＳ１１０８でＹｅｓ）、制御部７０１は、無線通信部１０７を用いて受け付けた音声データを被制御機器に送信する（ステップＳ１１１０）。
【０１２９】
無線通信部１０７と被制御機器との無線通信の接続が確立していない場合（ステップＳ１１０８でＹｅｓ）には、被制御機器は無線接続による通信を受け付けることができない。その場合、制御部７０１は、赤外線送信部１０８を用いて、被制御機器に対して、無線接続を有効にする制御コマンド（以降、「オンコマンド」ともいう）を送信する（ステップＳ１１０９）。
【０１３０】
ここで、無線通信の接続が確立していない場合は、例えば、被制御機器がスタンバイモード１にある場合がある。ステップＳ１１０９で送信するオンコマンドにより、被制御機器がスタンバイモード２に遷移することが意図される。
【０１３１】
オンコマンドの送信が完了すると、制御部７０１は、無線通信部１０７を用いて、被制御機器にデータを送信する（ステップＳ１１１０）。
【０１３２】
図１２は、本実施の形態におけるリモコンの情報受付時に被制御機器が無線通信不可能な状態である場合の処理の流れを示すシーケンス図である。ＤＶＤレコーダ１０１が省電力状態であるなど、リモコン１０６との通信ができない状態にある場合に、リモコン７０６が入力部２０４からの音声入力を受け付けた場合の処理の流れについて図１２を用いて説明する。
【０１３３】
リモコン１０６は、一定時間毎に、ＤＶＤレコーダ１０１に無線接続の状態を問い合わせ（ステップＳ１２０１）、接続が確立しているか切断されているかについて、最新の状態をデータ保持部７０３に格納する。
【０１３４】
無線接続状態の問い合わせを行ったときに、既定の時間以内に無線接続が確立している旨の応答が得られなかった場合（ステップＳ１２０２）、無線接続が確立していないとみなし、制御部７０１は、無線接続が確立していないことを示す情報をデータ保持部７０３に格納する（ステップＳ１２０３）。
【０１３５】
音声受付部２０７からの音声入力が検出される（ステップＳ１２０４）と、リモコン７０６は、待機状態３０２から入力受付状態３０３へ遷移する。音声受付部２０７からの入力はデータ量が多いので、無線通信を用いてのみ送信するものである。
【０１３６】
リモコン７０６の内部状態が入力受付状態３０３へ遷移すると、制御部７０１は、データ保持部７０３から、ＤＶＤレコーダ１０１との無線接続が確立しているか否かを示す情報を取得する（ステップＳ１２０５）。無線接続が確立していない場合、制御部７０１は、赤外線送信部１０８を用いて、赤外線通信によってオンコマンドをＤＶＤレコーダ１０１に送信する（ステップＳ１２０６）。
【０１３７】
ＤＶＤレコーダ１０１は、スタンバイモード１においてリモコン７０６からオンコマンドを受信すると、無線通信が可能なスタンバイモード２に遷移する。
【０１３８】
制御部７０１は、オンコマンドの送信が完了すると、ＤＶＤレコーダ１０１に対して無線通信の接続要求を行い（ステップＳ１２０７）、無線通信の接続が確立される（ステップＳ１２０８）。
【０１３９】
無線通信の接続が確立された後に、制御部７０１は、音声受付部２０７から受け付けた音声データを、無線通信部１０７を用いてＤＶＤレコーダ１０１へ送信する（ステップＳ１２０９）。ＤＶＤレコーダ１０１は上記オンコマンドを受信したことにより、無線通信が可能なスタンバイモード２に遷移しているので、無線通信によって音声データを受け付けることができる。
【０１４０】
＜効果など＞
以上のように、本実施の形態において、リモコン７０６は、ＤＶＤレコーダ１０１が無線通信を行えない状態において、無線通信での送信が必要となる場合に、あらかじめ赤外線通信を用いて、ＤＶＤレコーダ１０１に無線通信を可能にするよう指示を送信するステップを備えるよう構成される。
【０１４１】
これにより、ＤＶＤレコーダ１０１が電源オフの場合など、無線通信が行えない状況であっても、リモコン７０６は、入力部２０４から入力される音声データをＤＶＤレコーダ１０１に送信することが可能となる。
【０１４２】
なお、本開示における技術の例示として、上記のようにいくつかの実施の形態を説明した。そのために、添付図面および詳細な説明を提供した。
【０１４３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４４】
また、上述の実施の形態は、本開示における技術を例示するためのものであるから、請求の範囲またはその均等の範囲において種々の変更、置き換え、付加、省略などを行うことができる。
【産業上の利用可能性】
【０１４５】
本開示によるリモコンおよびリモコンの通信方法は、赤外線通信と無線通信のような複数の通信手段を有するリモコンで、テレビやＤＶＤレコーダのようなＡＶ機器や家電機器などの機器を遠隔操作するような場合において有用である。
【符号の説明】
【０１４６】
１０１    ＤＶＤレコーダ
１０２    無線通信部
１０３、１０５    赤外線受信部
１０４    テレビ
１０６、７０６    リモコン
１０７    無線通信部
１０８    赤外線送信部
２０１    制御部
２０２    無線通信判断部
２０５    受付部
２０６    コマンド受付部
２０７    音声受付部
７０１    制御部
７０３    データ保持部
【図１】
2015045322.tif 000003
【図２】
2015045322.tif 000004
【図３】
2015045322.tif 000005
【図４】
2015045322.tif 000006
【図５】
2015045322.tif 000007
【図６】
2015045322.tif 000008
【図７】
2015045322.tif 000009
【図８】
2015045322.tif 000010
【図９】
2015045322.tif 000011
【図１０】
2015045322.tif 000012
【図１１】
2015045322.tif 000013
【図１２】
2015045322.tif 000014
【手続補正書】
【提出日】平成26年12月26日(2014.12.26)
【手続補正１】
【補正対象書類名】明細書
【補正対象項目名】全文
【補正方法】変更
【補正の内容】
【発明の詳細な説明】
【技術分野】
【０００１】
本開示は、リモートコントローラ（以下、リモコンと称する）、およびリモコンの通信方法に関する。
【背景技術】
【０００２】
特許文献１は、赤外線送信と無線送信とを自動的に選択可能な遠隔制御システムおよび方法を開示する。この方法は、制御されるデバイスへの通信のための入力指令を受信する段階、及び、入力指令に基づいて使用コンテクストを判断する段階を含む。そして、コンテクストの判断に基づいて、赤外線送信機及び無線周波数送信機による通信が制御される。これにより、入力指令に応じた送信方式を選択することができる。
【先行技術文献】
【特許文献】
【０００３】
【特許文献１】特表２０１２−５０８５０２号公報
【発明の概要】
【発明が解決しようとする課題】
【０００４】
本開示は、通信手段を選択する操作のわずらわしさを軽減するリモコンおよびリモコンの通信方法を提供する。
【課題を解決するための手段】
【０００５】
本開示におけるリモコンは、被制御機器を制御するためのリモコンであって、赤外線により情報を送信する赤外線送信部と、電波による無線通信により情報を送信する無線通信部と、前記被制御機器に送信する制御情報をユーザから受け付ける受付部と、前記無線通信部と前記被制御機器との無線通信ができるか否かを判断する無線通信判断部と、前記無線通信判断部の判断結果に基づいて、前記赤外線送信部及び前記無線通信部のうち前記被制御機器に前記制御情報を送信する一方を選択し、選択した前記一方を用いて前記被制御機器に前記制御情報を送信する制御部とを備える。
【発明の効果】
【０００６】
本開示におけるリモコンは、通信手段を選択するユーザによる操作のわずらわしさを軽減することができる。
【図面の簡単な説明】
【０００７】
【図１】実施の形態１におけるリモコンが用いられる遠隔操作システムの構成を示す図
【図２】実施の形態１におけるリモコンの構成を示すブロック図
【図３】実施の形態１におけるリモコンの内部状態の遷移を示す図
【図４】実施の形態１におけるリモコンの情報受付時の動作を示すフローチャート
【図５】実施の形態１におけるリモコンの情報受付時の被制御機器との通信を示すシーケンス図
【図６】実施の形態１におけるリモコンの情報受付時に省電力状態となっている被制御機器との通信を示すシーケンス図
【図７】実施の形態２におけるリモコンの構成を示すブロック図
【図８】実施の形態２におけるリモコンの情報受付時の動作を示すフローチャート
【図９】実施の形態２におけるリモコンの情報受付時の被制御機器との通信を示すシーケンス図
【図１０】実施の形態２におけるリモコンの情報受付時の被制御機器との通信を示すシーケンス図
【図１１】実施の形態３におけるリモコンの情報受付時の動作を示すフローチャート
【図１２】実施の形態３におけるリモコンの情報受付時に被制御機器が無線通信不可能な状態である場合の処理の流れを示すシーケンス図
【発明を実施するための形態】
【０００８】
以下の説明では、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって請求の範囲に記載の主題を限定することを意図するものではない。
【００１０】
＜従来のリモコンによる遠隔操作の説明＞
まず、従来のリモコンを用いた遠隔操作について説明する。テレビやＤＶＤレコーダなどのＡＶ機器では、一般に、リモコンを用いて遠隔操作を行うことができるようになっている。
【００１１】
通常、１つのリモコンで遠隔操作が可能な機器（以降、被制御機器ともいう）は１つであることが多い。一方、１つのリモコンが、２つ以上の被制御機器の遠隔操作を行うことができる場合もある。具体的には、ＤＶＤレコーダ用の操作ボタンと、テレビ用の操作ボタンとを有し、テレビとＤＶＤレコーダとを操作できるリモコンが存在する。
【００１２】
リモコンと、遠隔操作の対象となる機器との間の通信手段は、赤外線通信が広く用いられてきた。最近では、赤外線通信に加えて、Ｂｌｕｅｔｏｏｔｈ（登録商標）などの近距離無線通信を用いたリモコンが実用化されてきている。
【００１３】
無線通信を用いたリモコンは、通信の指向性がない通信手段を用いる場合には、リモコンの向きに関係なく通信を行うことができる点、及び、リモコンと被制御機器との間に障害物が存在する場合にも通信を行うことができる点において利便性が高い。
【００１４】
また、赤外線通信を用いたリモコンは、通信の速度が遅いので、再生又は停止という命令（以降、「制御コマンド」又は「制御情報」ともいう）のような比較的小さい容量の単純な制御コードを送信するのみのものが多い。一方、無線通信を用いたリモコンは、音声データ（以降、「音声情報」ともいう）のように、単純な命令と比べて大きな容量のデータを送信することも可能である。
【００１５】
しかしながら、無線通信によるデータの送受信は、常にデータの待ち受けをする被制御機器には適していない。なぜなら、無線通信によるデータの送受信は、赤外線通信を用いたデータの送受信に比べると消費電力が大きく、また、容量の大きなデータを受信することにより情報の処理量が大きいからである。
【００１６】
特許文献１に開示される遠隔制御システムでは、入力に応じた通信手段の選択が可能であるが、被制御機器の状態に応じた選択が可能となっていない。そのため、被制御機器がどのような状態にある場合にも制御を可能とするためには、リモコンは、無線通信を用いて送信するための通信手段と、赤外線通信を用いて送信する通信手段との２つの通信手段を備える必要がある。さらに、リモコンが上記２つの通信手段を備える場合、被制御機器の状態に応じてそれぞれの通信手段を操作し分けなければならないので、リモコン操作が煩雑でわかりにくいものとなってしまう。
【００１７】
そこで、本開示は、通信手段を選択する操作のわずらわしさを軽減するリモコンおよびリモコンの通信方法を提供する。言い換えれば、本開示は、被制御機器の状態に応じて適切な通信手段が選択され、ユーザが通信手段を操作し分ける必要のないリモコンおよびリモコンの通信方法を提供する。
【００１８】
本開示の一態様に係るリモコンは、被制御機器を制御するためのリモコンであって、赤外線により情報を送信する赤外線送信部と、電波による無線通信により情報を送信する無線通信部と、前記被制御機器に送信する制御情報をユーザから受け付ける受付部と、前記無線通信部と前記被制御機器との無線通信ができるか否かを判断する無線通信判断部と、前記無線通信判断部の判断結果に基づいて、前記赤外線送信部及び前記無線通信部のうち前記被制御機器に前記制御情報を送信する一方を選択し、選択した前記一方を用いて前記被制御機器に前記制御情報を送信する制御部とを備える。
【００１９】
これによれば、リモコンは、被制御機器との無線通信ができるか否かに基づいて、被制御機器に制御情報を送信するのに赤外線を用いるか、無線通信を用いるかを適切に選択する。このとき、ユーザは、リモコンと被制御機器との無線通信ができるか否かを判断する必要がなく、その結果、赤外線又は無線通信の通信手段を選択する操作を行う必要がない。よって、リモコンは、通信手段を選択するユーザによる操作のわずらわしさを軽減することができる。
【００２０】
また、前記制御部は、（ｉ）前記無線通信部と前記被制御機器との無線通信ができると前記無線通信判断部が判断した場合に、前記無線通信部を選択し、（ｉｉ）前記無線通信部と前記被制御機器との無線通信ができないと前記無線通信判断部が判断した場合に、前記赤外線送信部を選択する。
【００２１】
これによれば、リモコンは、被制御機器に情報を送信するのに、被制御機器との無線通信ができる場合には無線通信を用い、被制御機器との無線通信ができない場合には赤外線を用いる。よって、リモコンは、被制御機器との無線通信の可否に応じて、適切に通信手段を選択することができる。
【００２２】
また、前記受付部は、さらに、前記被制御機器に送信する音声を、音声情報としてユーザから受け付け、前記制御部は、さらに、前記受付部が前記音声情報を受け付けた場合には、前記無線通信部を用いて前記被制御機器に前記音声情報を送信する。
【００２３】
これによれば、リモコンは、被制御機器に送信すべき情報が音声データである場合には、当該情報を無線通信を用いて送信する。音声データは、制御コマンドと比較してデータ量が大きいので、高速な通信が可能である無線通信を用いて送信されるのが適切である。よって、リモコンは、送信すべき情報の種別に応じて、適切に通信手段を選択することができる。
【００２４】
また、前記無線通信判断部は、（ｉ）前記被制御機器が無線通信をする機能を有する機器である場合には、前記無線通信部と前記被制御機器との無線通信ができると判断し、（ｉｉ）前記被制御機器が無線通信をする機能を有しない機器である場合には、前記無線通信部と前記被制御機器との無線通信ができないと判断する。
【００２５】
これによれば、リモコンは、情報を送信する対象となる被制御機器が、無線通信ができない場合に赤外線を用いて情報を送信する。よって、リモコンは、情報を送信する対象となる被制御機器の無線通信の可否に応じて、適切に通信手段を選択することができる。
【００２６】
また、前記制御部は、さらに、前記被制御機器との無線通信の接続の確立を前記無線通信部にさせ、前記無線通信判断部は、（ｉ）前記無線通信部が前記被制御機器との無線通信の接続を確立した場合には、前記無線通信部と前記被制御機器との無線通信ができると判断し、（ｉｉ）前記無線通信部が前記被制御機器との無線通信の接続を確立できなかった場合には、前記無線通信部と前記被制御機器との無線通信ができないと判断する。
【００２７】
これによれば、リモコンは、被制御機器との無線通信の接続の確立を試み、接続の確立が成功したことにより、無線通信ができる状態であると判断する。これにより、具体的に、無線通信の可否を判断することができる。
【００２８】
また、前記リモコンは、さらに、データ保持部を有し、前記制御部は、前記被制御機器との無線通信の接続の確立、又は、前記接続が確立していることの確認を前記無線通信部にさせ、前記接続が確立しているか否かを示す接続状態情報を前記データ保持部に格納し、前記無線通信判断部は、前記データ保持部が保持している前記接続状態情報に基づいて、前記無線通信部と前記被制御機器との無線通信ができるか否かを判断する。
【００２９】
これによれば、リモコンは、被制御機器に制御コマンドを送信するまでの時間を短縮することができる。仮に無線通信の接続が確立していないとすると、リモコンが被制御機器に接続状態の問い合わせを行い、問い合わせが完了するまでに所定の時間を要する。無線通信の接続状態の問い合わせを行わないことにより、被制御機器に制御コマンドを送信するまでの時間を短縮することができる。
【００３０】
また、前記制御部は、前記受付部が前記音声を受け付けた場合であって、前記無線通信部と前記被制御機器との無線通信ができないと前記無線通信判断部が判断した場合には、前記被制御機器の無線通信を開始させるための制御コマンドであるオンコマンドを前記赤外線送信部を用いて送信する。
【００３１】
これによれば、リモコンは、無線通信が確立していない被制御機器に対して、無線通信ができる状態にするための制御コマンドを赤外線通信により送信する。これにより、リモコンは、被制御機器を無線通信ができる状態に遷移させ、その後、被制御機器との通信を行う。よって、リモコンは、無線通信が確立していない状態の被制御機器に対しても、無線通信により情報を送信することができる。
【００３２】
また、本開示の一態様に係るリモコンの通信方法は、被制御機器を制御するためのリモコンであって、赤外線により情報を送信する赤外線送信部と、電波による無線通信により情報を送信する無線通信部とを備えるリモコンの通信方法であって、前記被制御機器に送信する制御情報をユーザから受け付ける受付ステップと、前記無線通信部と前記被制御機器との無線通信ができるか否かを判断する無線通信判断ステップと、前記無線通信判断ステップでの判断結果に基づいて、前記赤外線送信部及び前記無線通信部のうち前記被制御機器に前記制御情報を送信する一方を選択し、選択した前記一方を用いて前記被制御機器に前記制御情報を送信する制御ステップとを含む。
【００３３】
これによれば、上記のリモコンと同様の効果を奏する。
【００３４】
（実施の形態１）
本実施の形態において、被制御機器を制御するためのリモコンであって、通信手段を選択する操作のわずらわしさを軽減するリモコンおよびリモコンの通信方法等について説明する。
【００３５】
具体的には、本開示におけるリモコンは、より利便性の高い無線通信の通信部と、より消費電力を小さくすることができる赤外線通信の送信部とを備え、被制御機器の構成や状態に基づいて、上記通信手段のうち適切な手段を選択して通信を行う。これにより、ユーザが高い利便性を得ると同時に、消費電力を少なくしたシステムを構成することができる。
【００３６】
図１は、本実施の形態に係るリモコンが用いられる遠隔操作システムを示す図である。図１の遠隔操作システムは、ＤＶＤレコーダ１０１と、テレビ１０４と、リモコン１０６とを備える。
【００３７】
ＤＶＤレコーダ１０１は、無線通信部１０２と、赤外線受信部１０３とを備える。ＤＶＤレコーダ１０１は、リモコン１０６が送信する情報を受信する機器（つまり、被制御機器）の第一例である。
【００３８】
無線通信部１０２は、無線通信により、リモコン１０６から制御コマンド又は音声データを受信する。
【００３９】
赤外線受信部１０３は、赤外線通信により、リモコン１０６から制御コマンドを受信する。
【００４０】
また、ＤＶＤレコーダ１０１は、電力消費を抑えるために一部の機能のみを稼働するスタンバイモードを有する。スタンバイモードにおいて、無線通信部１０２は稼働せず、赤外線受信部１０３は稼働する。
【００４１】
テレビ１０４は、赤外線受信部１０５を備える。テレビ１０４は、リモコン１０６が送信する情報を受信する機器の第二例である。
【００４２】
赤外線受信部１０５は、ＤＶＤレコーダ１０１における赤外線受信部１０３と同じ機能を有する。
【００４３】
リモコン１０６は、無線通信部１０７と、赤外線送信部１０８とを含む。リモコン１０６は、ＤＶＤレコーダ１０１とテレビ１０４との両方を対象として、情報又は制御コマンドを送信することができる。
【００４４】
リモコン１０６およびＤＶＤレコーダ１０１とは、それぞれの無線通信部１０７、１０２を通じて、双方向に通信を行う。
【００４５】
また、リモコン１０６と、ＤＶＤレコーダ１０１またはテレビ１０４とは、赤外線送信部１０８を通じて、赤外線受信部１０３、または、赤外線受信部１０５に対して赤外線通信を行う。
【００４６】
なお、上記のとおり、ＤＶＤレコーダ１０１およびテレビ１０４は被制御機器の一例であり、実施の形態はこれらに限定されるものではない。
【００４７】
＜リモコンの構成＞
図２は、リモコン１０６の構成を示すブロック図である。
【００４８】
図２に示されるように、リモコン１０６は、受付部２０５と、制御部２０１と、無線通信部１０７と、赤外線送信部１０８とを備える。
【００４９】
受付部２０５は、被制御機器に送信する制御コマンド又は音声をユーザから受け付ける。受付部２０５は、コマンド受付部２０６と音声受付部２０７とを有する。
【００５０】
コマンド受付部２０６は、被制御機器を制御するための制御コマンドに対応する動作による操作を受け付ける。
【００５１】
コマンド受付部２０６は、例えば、ボタン又はタッチパッドであり、ユーザによるボタンの押下、又は、パッド上でのスライド操作などの動作による操作を受け付ける。そして、コマンド受付部２０６は、押下されたボタンの種別、又は、パッド上で行われた操作の種別に対応する制御コマンドを、非制御機器を制御するための制御コマンドと解釈する。例えば、コマンド受付部２０６は、リモコン１０６の再生ボタン（図面に非表示）が押下された場合、「ＤＶＤレコーダ１０１に対する再生開始」の制御コマンドであると解釈する。
【００５２】
音声受付部２０７は、音声の入力を受け付ける。音声受付部２０７は、例えば、マイクである。ユーザが音声受付部２０７に向かって音声を発することにより話しかけると、音声受付部２０７は、ユーザが発生した音声を受け付け、受け付けた音声に対応する音声データを生成する。
【００５３】
生成された音声データは、そのまま被制御機器に送信される。具体的には、リモコン１０６は、生成された音声データを被制御機器に送信する。被制御機器は、その音声を解析し、解析結果を利用する。例えば、音声受付部２０７が「再生」という音声を受け付けると、受け付けた音声に対応する音声データが被制御機器に送信される。そして、被制御機器は、音声データを解析することで当該音声データが「再生」という音声を取得し、再生開始のコマンドとして解釈する。
【００５４】
制御部２０１は、受付部２０５（つまり、コマンド受付部２０６または音声受付部２０７）から取得したユーザによる入力、及び、無線通信部１０７から取得したＤＶＤレコーダ１０１との無線接続状態に基づいて、無線通信部１０７または赤外線送信部１０８を用いて、ＤＶＤレコーダ１０１またはテレビ１０４に対して制御コマンドまたはデータを送信する。
【００５５】
制御部２０１は、無線通信判断部２０２を有する。
【００５６】
無線通信判断部２０２は、無線通信部１０２と被制御機器との無線通信ができるか否かを判断する。判断方法は、後で詳しく説明する。
【００５７】
赤外線送信部１０８は、ＤＶＤレコーダ１０１またはテレビ１０４への制御コマンドの送信を行う。
【００５８】
無線通信部１０７は、ＤＶＤレコーダ１０１との無線通信の無線接続の確立および切断、ＤＶＤレコーダ１０１への制御コマンドの送信および音声データの送信を行う。無線通信の手段として赤外線ではなく電波を用いる。無線通信部１０７は、例えば、Ｂｌｕｅｔｏｏｔｈ（登録商標）等の近接無線通信を利用してもよい。また、無線通信部１０７は、ＩＥＥＥ８０２．１１ａ、ｂ、ｇ等に適合する無線ＬＡＮを利用してもよいし、ＺｉｇＢｅｅを利用してもよい。
【００５９】
図３は、リモコン１０６の内部状態の遷移を示す図である。
【００６０】
リモコン１０６は、最初、電源オフ状態３００にある。
【００６１】
リモコン１０６は、電源が投入されると、電源オン状態３１０に遷移する。電源オン状態３１０には、図３に示すようにリセット解除状態３０１等を含む複数の状態が含まれる。これら複数の状態について詳しく説明する。
【００６２】
電源オフ状態３００において、電源が投入されると、リモコン１０６は、リセット解除状態３０１へ遷移する。リセット解除状態３０１では、制御部２０１及び受付部２０５等の初期設定が行われる。上記の初期設定が完了すると、リモコン１０６は、待機状態３０２へ遷移する。
【００６３】
待機状態３０２では、無線通信部１０７、赤外線送信部１０８、及び、制御部２０１は省電力状態での動作を行う。待機状態３０２は、リモコン１０６全体として消費電力が低く抑えられた状態である。待機状態３０２において、コマンド受付部２０６がユーザによる何らかの操作を受け付けると、リモコン１０６は、入力受付状態３０３へ遷移する。
【００６４】
入力受付状態３０３では、制御部２０１は、コマンド受付部２０６又は音声受付部２０７が受け付けた情報を受け取り、当該情報を送信する対象となる被制御機器と、当該被制御機器に対する操作の指示とを決定する。
【００６５】
次に、被制御機器に対して赤外線通信を用いた制御コマンドの送信を行う場合には、リモコン１０６は、赤外線送信状態３０４へ遷移する。赤外線送信状態３０４において、制御コマンドの送信が完了すると、リモコン１０６は、入力受付状態３０３へと遷移する。
【００６６】
一方、被制御機器に対して無線通信を用いた制御コマンド又は音声データの送信を行う場合には、リモコン１０６は、無線送信状態３０５へ遷移する。無線送信状態３０５において、制御コマンド又は音声データの送信が完了すると、リモコン１０６は、入力受付状態３０３へ遷移する。
【００６７】
赤外線送信状態３０４および無線送信状態３０５へは、入力受付状態３０３からしか遷移することができないので、待機状態３０２にあるリモコン１０６が赤外線送信又は無線送信を行うことはできない。
【００６８】
＜リモコンの内部動作＞
図４は、実施の形態１におけるリモコンの情報受付時の動作を示すフローチャートである。リモコン１０６が、コマンド受付部２０６又は音声受付部２０７により情報の入力を検出した場合の動作の詳細について、図４を用いて説明する。
【００６９】
コマンド受付部２０６又は音声受付部２０７が情報の入力を検出すると、受付部２０５は、その入力によって送信されるのが制御コマンドであるか音声データであるかの決定を行う（ステップＳ４０１）。例えば、受付部２０５は、音声受付部２０７からの入力は全て音声データとして送信されると決定する。音声データは、制御コマンドよりもデータ量が大きいので、赤外線通信による送信は行われず（ステップＳ４０１でＮＯ）、ステップＳ４０６で無線通信を用いて被制御機器に送信される。
【００７０】
また、受付部２０５は、送信されるのが制御コマンドである場合には、当該制御コマンドを送信する対象となる被制御機器を決定し、決定した被制御機器が無線通信を行う機能を有する機器であるか否かの判定を行う（ステップＳ４０２）。
【００７１】
具体的には、送信されるのがＤＶＤレコーダ１０１に対する制御コマンドである場合には、受付部２０５は、被制御機器がＤＶＤレコーダ１０１であると決定する。また、受付部２０５は、被制御機器であるＤＶＤレコーダ１０１が、無線通信を行う機能を有する機器であると判定する。
【００７２】
一方、送信されるのがテレビ１０４に対する制御コマンドである場合には、受付部２０５は、被制御機器がテレビ１０４であると決定する。また、受付部２０５は、被制御機器であるテレビ１０４が、無線通信を行う機能を有しない機器であると判定する。
【００７３】
被制御機器が、無線通信を行う機能を有しない機器である場合（ステップＳ４０２でＮＯ）には、赤外線送信部１０８は、赤外線通信を使用して制御コマンドの送信を行う（ステップＳ４０５）。
【００７４】
被制御機器が、無線通信を行う機能を有する機器である場合、無線通信部１０７は、被制御機器との無線通信の状態を取得し（ステップＳ４０３）、無線通信の接続が確立しているかどうかの判定を行う（ステップＳ４０４）。
【００７５】
無線通信の接続が確立している場合には（ステップＳ４０４でＹＥＳ）、無線通信部１０７は、無線通信による制御コマンドの送信を行う（ステップＳ４０６）。
【００７６】
また、無線通信の接続が切断されている場合（ステップＳ４０４でＮＯ）には、赤外線送信部１０８は、赤外線通信による制御コマンドの送信を行う（ステップＳ４０５）。
【００７７】
図５は、本実施の形態におけるリモコンの情報受付時の被制御機器との通信を示すシーケンス図である。図５を用いてステップＳ４０３、Ｓ４０４およびＳ４０６にて行われる無線通信の接続状態の取得から無線通信による制御コマンドの送信までの処理の流れについての詳細を説明する。
【００７８】
リモコン１０６は、定常時は、消費電力の少ない待機状態３０２にある。待機状態３０２にあるリモコン１０６が、コマンド受付部２０６がユーザからの操作を検出する（ステップＳ５０１）と、入力の検出、並びに、制御コマンド及びデータの送信が可能である入力受付状態３０３に遷移する。
【００７９】
制御部２０１の無線通信判断部２０２は、コマンド受付部２０６からの入力を解析し、無線通信によって送信することを決定すると、ＤＶＤレコーダ１０１との無線接続が確立しているか否かを無線通信部１０７により判断する。
【００８０】
具体的には、無線通信部１０７がＤＶＤレコーダ１０１に対して無線通信の接続要求を送信する（ステップＳ５０２）。送信した接続要求に対してＤＶＤレコーダ１０１が応答することができる場合、無線通信部１０７とＤＶＤレコーダ１０１との無線通信が確立される。無線通信が確立された場合、ＤＶＤレコーダ１０１からリモコン１０６に対して無線通信の接続確立を意味するメッセージが送信される（ステップＳ５０３）。無線通信判断部２０２は、接続確立のメッセージを受信することで、ＤＶＤレコーダ１０１との無線接続が確立していると判断する。
【００８１】
制御部２０１は、ＤＶＤレコーダ１０１から接続確立のメッセージを受信したことで、無線通信の接続が確立していると判断すると、無線通信部１０７を用いて無線通信によって制御コマンドを送信する（ステップＳ５０４）。
【００８２】
制御コマンドの送出が完了すると、制御部２０１は、消費電力を小さくするため、待機状態３０２に遷移する。
【００８３】
図６は、本実施の形態におけるリモコンの情報受付時に省電力状態となっている被制御機器との通信を示すシーケンス図である。図６を用いて、ステップＳ４０３、Ｓ４０４およびＳ４０５にて、無線接続が切断されている場合に行われる一連の処理の流れについての詳細を説明する。
【００８４】
リモコン１０６は、待機状態３０２にあるときにコマンド受付部２０６によってユーザからの操作を検出する（ステップＳ５０１）と、入力受付状態３０３に遷移し、入力の解析と制御コマンドの送信とを行う。
【００８５】
制御部２０１の無線通信判断部２０２は、ＤＶＤレコーダ１０１に対して無線通信によって制御コマンドを送信することを決定すると、ＤＶＤレコーダ１０１との無線接続が確立しているか否かを無線通信部１０７により判断する。
【００８６】
ＤＶＤレコーダ１０１が無線通信を行えない状態にあると、無線通信部１０７はＤＶＤレコーダ１０１との無線接続の確立を確認することができない。無線通信を行えないような状態とは、例えば、無線通信に関わる機能をオフにすることで電力消費を抑えるスタンバイモードである。
【００８７】
具体的には、上記同様、無線通信部１０７がＤＶＤレコーダ１０１に対して無線通信の接続要求を送信する具体的には、無線通信部１０７がＤＶＤレコーダ１０１に対して無線通信の接続要求を送信する（ステップＳ５０２）。送信した接続要求に対して、ＤＶＤレコーダ１０１が応答することができない場合、無線通信部１０７とＤＶＤレコーダ１０１との無線通信が確立されない（ステップＳ６０１）。無線通信部１０７が送信した接続要求に対して、既定の時間が経過しても無線接続の確立が確認されない場合、無線通信判断部２０２は、ＤＶＤレコーダ１０１との無線接続は使用できないと判断し、赤外線通信によって制御コマンドを送出する（ステップＳ６０２）。
【００８８】
制御コマンドの送出が完了すると、制御部２０１は、消費電力を小さくするため、待機状態３０２に遷移する。
【００８９】
＜効果など＞
本実施の形態におけるリモコンは、音声入力があった場合には、無線通信を選択して音声データを被制御機器に転送する。このことにより、ユーザが明示的に指示しなくても、赤外線通信又は電波による無線通信のうち適切な通信手段を選択することができる。
【００９０】
（実施の形態２）
本実施の形態において、無線通信の接続状態を示す情報を保持し、保持した情報を用いて短時間で被制御機器との通信を行うリモコンについて説明する。
【００９１】
図７は、本実施の形態におけるリモコン７０６の構成を示すブロック図である。
【００９２】
図７に示されるように、本実施の形態におけるリモコン７０６は、実施の形態１におけるリモコン１０６に加えて、データ保持部７０３を備える。
【００９３】
制御部７０１は、コマンド受付部２０６または音声受付部２０７が受け付けた、ユーザによる入力と、データ保持部７０３に保持しておいたＤＶＤレコーダ１０１との無線接続状態とに基づいて、無線通信部１０７または赤外線送信部１０８を用いて、ＤＶＤレコーダ１０１またはテレビ１０４に対して制御コマンドあるいはデータを送信する。
【００９４】
本実施の形態においても、実施の形態１と同様、リモコン７０６は、図３に示す内部状態を有する。
【００９５】
図８は、リモコン７０６が入力部２０３および入力部２０４からの入力を検出した場合の動作の詳細について説明したフローチャートである。
【００９６】
コマンド受付部２０６または音声受付部２０７がユーザによる入力を検出すると、受付部２０５は、その入力によって送信されるのが制御コマンドであるか音声データであるかの決定を行う（ステップＳ８０１）。例えば、受付部２０５は、音声受付部２０７からの入力は全て音声データとして送信されると決定する。その場合、入力されたデータは無線通信を用いて被制御機器に送信される（ステップＳ８０６）。
【００９７】
また、受付部２０５は、送信されるのが制御コマンドである場合には、当該制御コマンドを送信する対象となる被制御機器を決定し、決定した被制御機器が無線通信を行う機能を有する機器であるか否かの判定を行う（ステップＳ８０２）。
【００９８】
被制御機器が、無線通信を行う機能を有しない機器である場合（ステップＳ８０２でＮＯ）には、制御部７０１は赤外線送信部１０８を用いて、赤外線通信による制御コマンドの送信を行う（ステップＳ８０５）。
【００９９】
被制御機器が、無線通信を行う機能を有する機器である場合、制御部７０１は、被制御機器との無線通信の状態を示す情報をあらかじめ保持しているデータ保持部７０３から取得し（ステップＳ８０３）、無線通信の接続が確立しているか否かの判定を行う（ステップＳ８０４）。
【０１００】
無線通信部１０７と被制御機器との無線通信の接続が確立している場合（ステップＳ８０４でＹＥＳ）には、制御部７０１は、無線通信部１０７を用いて無線通信による制御コマンドの送信を行う（ステップＳ８０７）。
【０１０１】
一方、無線通信部１０７と被制御機器との無線通信の接続が確立していない場合（ステップＳ８０４でＮＯ）には、赤外線送信部１０８を用いて赤外線通信による制御コマンドの送信を行う（ステップＳ８０５）。
【０１０２】
あらかじめ無線接続の状態を取得しておく場合、無線接続の状態を取得したときには接続が確立したとしても、無線通信による制御コマンドの送信を行うときには無線接続が切断されている可能性がある。そのため、ステップＳ８０７での送信を行った後に、無線通信による情報の送信が成功したか否かの判定を行うステップＳ８０８を設けてもよい。その場合、無線の送信が失敗した場合（ステップＳ８０８でＮＯ）には、赤外線通信により同じ内容の制御コマンドを再送信する（ステップＳ８０５）。
【０１０３】
図９は、本実施の形態におけるリモコンの情報受付時の被制御機器との通信を示すシーケンス図である。あらかじめ行われるリモコン７０６のＤＶＤレコーダ１０１との無線接続状態の確認と、保持された無線接続状態を用いて、無線通信による制御コマンドの送信を行う場合の一連の処理の流れを図９で説明する。
【０１０４】
リモコン７０６は、ユーザから制御コマンドの入力を受け付けると、実施の形態１におけるリモコン１０６と同様に無線接続を確立した後に無線通信で制御コマンドを送信する（ステップＳ５０１〜Ｓ５０４）。
【０１０５】
ステップＳ５０４においてリモコン７０６が無線通信で制御コマンドを送信した後、制御部７０１は、無線通信の接続が確立していることを示す情報をデータ保持部７０３に格納する（ステップＳ９０１）。その後、リモコン７０６は、待機状態３０２に遷移する。
【０１０６】
リモコン７０６は、待機状態３０２にある時間が一定時間を超えると、入力受付状態３０３に遷移し、被制御機器であるＤＶＤレコーダ１０１との無線通信の接続が確立しているか否かの確認を行う（ステップＳ９０２及びＳ９０３）。なお、上記一定時間は、例えば、１０ｍｓｅｃ程度とすることができる。
【０１０７】
ステップＳ９０２及びＳ９０３において無線通信の接続が確立していることが確認されると、制御部７０１は、無線通信の接続が確立していることを示す情報をデータ保持部７０３に格納する（ステップＳ９０４）。その後、リモコン７０６は、待機状態３０２に遷移する。
【０１０８】
上記の処理を一定間隔で行い、データ保持部７０３にはＤＶＤレコーダ１０１との最近の接続状態が記憶されているようにしておく。
【０１０９】
コマンド受付部２０６からの入力が検出される（ステップＳ９０５）と、リモコン７０６は、待機状態３０２から入力受付状態３０３へ遷移する。入力受付状態３０３では、制御部７０１は、ＤＶＤレコーダ１０１との無線接続が確立しているか否かを示す情報をデータ保持部７０３から取得し（ステップＳ９０６）、無線接続が確立しているならば、無線通信部１０７を用いて無線通信によりＤＶＤレコーダ１０１に制御コマンドを送信する（ステップＳ９０７）。
【０１１０】
図１０は、無線接続が確立されていないという要因により、赤外線通信で制御コマンドを送信する場合の処理の流れを示した図である。
【０１１１】
図９の場合と同様、リモコン７０６は、一定時間毎に、ＤＶＤレコーダ１０１との無線接続の状態を確認し、最近の状態をデータ保持部７０３に記憶しておく。
【０１１２】
無線接続の確認を行ったときに、既定の時間以内に無線通信の接続が確立していることを確認できなかった場合（ステップＳ１００１）に、無線通信の接続は確立していない（例えば、切断されている）とみなし、制御部７０１はその情報をデータ保持部７０３に記憶しておく（ステップＳ１００２）。
【０１１３】
コマンド受付部２０６からの制御コマンドの入力が検出される（ステップＳ１００３）と、リモコン７０６は、待機状態３０２から入力受付状態３０３へ遷移する。制御部７０１は、ＤＶＤレコーダ１０１との無線接続が確立しているか否かの情報をデータ保持部７０３から取得する（ステップＳ１００４）。上記ステップＳ１００２において、無線接続が確立していないことを示す情報をデータ保持部７０３に格納したので、制御部７０１は、上記ステップＳ１００４において無線接続が確立していないことを示す情報を取得する。無線接続が確立していない場合、制御部７０１は、赤外線送信部１０８を用い、赤外線通信によって制御コマンドをＤＶＤレコーダ１０１に送信する（ステップＳ１００５）。
【０１１４】
なお、ステップＳ１００３でコマンド受付部２０６が制御コマンドの入力を受け付けたのが、ステップＳ１００１で無線通信の接続が確認できなかった時から所定時間を経過した後であった場合、リモコン７０６は、新たに無線通信を確立する処理（ステップＳＳ５０１〜Ｓ５０４）を行ってもよい。無線通信の接続が確認できなかった時から所定時間を経過したら、無線通信の接続が復旧している可能性があるからである。
【０１１５】
以上の動作により、リモコン７０６は、入力部２０３からユーザによる同じ操作が検出された場合でも、ＤＶＤレコーダ１０１の状態に応じて適切な通信手段を選択し、無線通信部１０７あるいは赤外線送信部１０８を用いて被制御機器に制御コマンドを送信することができる。
【０１１６】
＜効果など＞
以上のように、本実施の形態では、リモコン７０６は、入力部２０３および入力部２０４からの入力がない場合でも、被制御機器であるＤＶＤレコーダ１０１との最新の通信状態をデータ保持部７０３に保持する。これによって、リモコン７０６からの制御コマンドとは関係ない要因でＤＶＤレコーダ１０１の状態が変化し、無線通信が可能な状態から無線通信が不可能な状態に遷移した場合においても、リモコン７０６はＤＶＤレコーダ１０１の状態を知ることができ、制御部７０１は適切な通信手段を選択することが可能となる。
【０１１７】
また、本実施の形態では、コマンド受付部２０６が制御コマンドの入力を受け付けた場合に、無線通信の接続状態の問い合わせを行わずに、データ保持部７０３から取得した情報に基づいて無線通信の接続が確立しているか否かを判断する（ステップＳ９０６及びステップＳ１００４）。仮に無線通信の接続が確立していないとすると、リモコンが被制御機器に接続状態の問い合わせを行い、問い合わせが完了するまでに所定の時間を要する。よって、無線通信の接続状態の問い合わせを行わないことにより被制御機器に制御コマンドを送信するまでの時間を短縮することができる。
【０１１８】
（実施の形態３）
本実施の形態において、無線通信が確立していない被制御機器に対して、無線通信ができる状態にするための制御コマンドを赤外線通信により送信することで、被制御機器との通信を行うリモコンについて説明する。
【０１１９】
なお、ＤＶＤレコーダ１０１は、実施の形態１におけるスタンバイモードの他に、「スタンバイモード２」をとりうる。スタンバイモード２では、無線通信部１０２及び赤外線受信部１０３の両方が稼働する。本実施の形態において、実施の形態１におけるスタンバイモードのことをスタンバイモード１という。
【０１２０】
以下、図７、図１１、図１２を用いて、本実施の形態について説明する。
【０１２１】
本実施の形態に係るリモコンの構成は、実施の形態２の場合と同等であり、図７に示す。
【０１２２】
図１１は、本実施の形態におけるリモコンの情報受付時の動作を示すフローチャートである。具体的には、図１１は、コマンド受付部２０６または音声受付部２０７によりユーザ操作を検出した場合のリモコン７０６の動作を示すフローチャートである。
【０１２３】
コマンド受付部２０６または音声受付部２０７がユーザの操作の入力を検出すると、制御部７０１は、ステップＳ１１０１にて、その入力によって送信されるのが制御コマンドであるか音声データであるかの決定を行う。
【０１２４】
送信されるのが制御コマンドである場合（ステップＳ１１０１でＹＥＳ）は、制御部７０１は、当該制御コマンドを送信する対象となる被制御機器を決定し、決定した被制御機器が、無線通信を行う機能を有する機器であるか否かの判定を行う（ステップＳ１１０２）。被制御機器が、無線通信を行う機能を有しない機器である場合（ステップＳ１１０２でＮＯ）には、制御部７０１は、赤外線送信部１０８を用いて、赤外線通信による制御コマンドの送信を行う（ステップＳ１１０５）。
【０１２５】
被制御機器が、無線通信を行う機能を有する機器である場合（ステップＳ１１０２でＹＥＳ）、制御部７０１は、被制御機器との無線通信の状態をあらかじめ保持しているデータ保持部７０３から取得し（ステップＳ１１０３）、無線通信の接続が確立しているか否かの判定を行う（ステップＳ１１０４）。
【０１２６】
無線通信部１０７と被制御機器との無線通信の接続が確立している場合（ステップＳ１１０４でＹＥＳ）には、制御部７０１は、無線通信部１０７を用いて無線通信による制御コマンドの送信を行う（ステップＳ１１０７）。一方、無線通信の接続が確立していない場合には、赤外線送信部１０８を用いて赤外線通信による制御コマンドの送信を行う（ステップＳ１１０５）。
【０１２７】
一方、送信されるのが音声データである場合（ステップＳ１１０１でＮｏ）、ステップＳ１１０３において行うのと同様に、制御部７０１は、被制御機器との無線通信の接続状態をデータ保持部７０３から取得する（ステップＳ１１０７）。
【０１２８】
そして、無線通信部１０７と被制御機器との無線接続が確立している場合（ステップＳ１１０８でＹｅｓ）、制御部７０１は、無線通信部１０７を用いて受け付けた音声データを被制御機器に送信する（ステップＳ１１１０）。
【０１２９】
無線通信部１０７と被制御機器との無線通信の接続が確立していない場合（ステップＳ１１０８でＹｅｓ）には、被制御機器は無線接続による通信を受け付けることができない。その場合、制御部７０１は、赤外線送信部１０８を用いて、被制御機器に対して、無線接続を有効にする制御コマンド（以降、「オンコマンド」ともいう）を送信する（ステップＳ１１０９）。
【０１３０】
ここで、無線通信の接続が確立していない場合は、例えば、被制御機器がスタンバイモード１にある場合がある。ステップＳ１１０９で送信するオンコマンドにより、被制御機器がスタンバイモード２に遷移することが意図される。
【０１３１】
オンコマンドの送信が完了すると、制御部７０１は、無線通信部１０７を用いて、被制御機器にデータを送信する（ステップＳ１１１０）。
【０１３２】
図１２は、本実施の形態におけるリモコンの情報受付時に被制御機器が無線通信不可能な状態である場合の処理の流れを示すシーケンス図である。ＤＶＤレコーダ１０１が省電力状態であるなど、リモコン１０６との通信ができない状態にある場合に、リモコン７０６が入力部２０４からの音声入力を受け付けた場合の処理の流れについて図１２を用いて説明する。
【０１３３】
リモコン１０６は、一定時間毎に、ＤＶＤレコーダ１０１に無線接続の状態を問い合わせ（ステップＳ１２０１）、接続が確立しているか切断されているかについて、最新の状態をデータ保持部７０３に格納する。
【０１３４】
無線接続状態の問い合わせを行ったときに、既定の時間以内に無線接続が確立している旨の応答が得られなかった場合（ステップＳ１２０２）、無線接続が確立していないとみなし、制御部７０１は、無線接続が確立していないことを示す情報をデータ保持部７０３に格納する（ステップＳ１２０３）。
【０１３５】
音声受付部２０７からの音声入力が検出される（ステップＳ１２０４）と、リモコン７０６は、待機状態３０２から入力受付状態３０３へ遷移する。音声受付部２０７からの入力はデータ量が多いので、無線通信を用いてのみ送信するものである。
【０１３６】
リモコン７０６の内部状態が入力受付状態３０３へ遷移すると、制御部７０１は、データ保持部７０３から、ＤＶＤレコーダ１０１との無線接続が確立しているか否かを示す情報を取得する（ステップＳ１２０５）。無線接続が確立していない場合、制御部７０１は、赤外線送信部１０８を用いて、赤外線通信によってオンコマンドをＤＶＤレコーダ１０１に送信する（ステップＳ１２０６）。
【０１３７】
ＤＶＤレコーダ１０１は、スタンバイモード１においてリモコン７０６からオンコマンドを受信すると、無線通信が可能なスタンバイモード２に遷移する。
【０１３８】
制御部７０１は、オンコマンドの送信が完了すると、ＤＶＤレコーダ１０１に対して無線通信の接続要求を行い（ステップＳ１２０７）、無線通信の接続が確立される（ステップＳ１２０８）。
【０１３９】
無線通信の接続が確立された後に、制御部７０１は、音声受付部２０７から受け付けた音声データを、無線通信部１０７を用いてＤＶＤレコーダ１０１へ送信する（ステップＳ１２０９）。ＤＶＤレコーダ１０１は上記オンコマンドを受信したことにより、無線通信が可能なスタンバイモード２に遷移しているので、無線通信によって音声データを受け付けることができる。
【０１４０】
＜効果など＞
以上のように、本実施の形態において、リモコン７０６は、ＤＶＤレコーダ１０１が無線通信を行えない状態において、無線通信での送信が必要となる場合に、あらかじめ赤外線通信を用いて、ＤＶＤレコーダ１０１に無線通信を可能にするよう指示を送信するステップを備えるよう構成される。
【０１４１】
これにより、ＤＶＤレコーダ１０１が電源オフの場合など、無線通信が行えない状況であっても、リモコン７０６は、入力部２０４から入力される音声データをＤＶＤレコーダ１０１に送信することが可能となる。
【０１４２】
なお、本開示における技術の例示として、上記のようにいくつかの実施の形態を説明した。そのために、添付図面および詳細な説明を提供した。
【０１４３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４４】
また、上述の実施の形態は、本開示における技術を例示するためのものであるから、請求の範囲またはその均等の範囲において種々の変更、置き換え、付加、省略などを行うことができる。
【産業上の利用可能性】
【０１４５】
本開示によるリモコンおよびリモコンの通信方法は、赤外線通信と無線通信のような複数の通信手段を有するリモコンで、テレビやＤＶＤレコーダのようなＡＶ機器や家電機器などの機器を遠隔操作するような場合において有用である。
【符号の説明】
【０１４６】
１０１    ＤＶＤレコーダ
１０２    無線通信部
１０３、１０５    赤外線受信部
１０４    テレビ
１０６、７０６    リモコン
１０７    無線通信部
１０８    赤外線送信部
２０１    制御部
２０２    無線通信判断部
２０５    受付部
２０６    コマンド受付部
２０７    音声受付部
７０１    制御部
７０３    データ保持部
【手続補正２】
【補正対象書類名】特許請求の範囲
【補正対象項目名】全文
【補正方法】変更
【補正の内容】
【特許請求の範囲】
【請求項１】
被制御機器を制御するためのリモコンであって、
赤外線により情報を送信する赤外線送信部と、
電波による無線通信により情報を送信する無線通信部と、
前記被制御機器に送信する制御情報をユーザから受け付ける受付部と、
前記無線通信部と前記被制御機器との無線通信ができるか否かを判断する無線通信判断部と、
前記無線通信判断部の判断結果に基づいて、前記赤外線送信部及び前記無線通信部のうち前記被制御機器に前記制御情報を送信する一方を選択し、選択した前記一方を用いて前記被制御機器に前記制御情報を送信する制御部とを備える
リモコン。
【請求項２】
前記制御部は、
（ｉ）前記無線通信部と前記被制御機器との無線通信ができると前記無線通信判断部が判断した場合に、前記無線通信部を選択し、
（ｉｉ）前記無線通信部と前記被制御機器との無線通信ができないと前記無線通信判断部が判断した場合に、前記赤外線送信部を選択する
請求項１に記載のリモコン。
【請求項３】
前記受付部は、さらに、
前記被制御機器に送信する音声を、音声情報としてユーザから受け付け、
前記制御部は、さらに、
前記受付部が前記音声情報を受け付けた場合には、前記無線通信部を用いて前記被制御機器に前記音声情報を送信する
請求項１又は２に記載のリモコン。
【請求項４】
前記無線通信判断部は、
（ｉ）前記被制御機器が無線通信をする機能を有する機器である場合には、前記無線通信部と前記被制御機器との無線通信ができると判断し、
（ｉｉ）前記被制御機器が無線通信をする機能を有しない機器である場合には、前記無線通信部と前記被制御機器との無線通信ができないと判断する
請求項１〜３のいずれか１項に記載のリモコン。
【請求項５】
前記制御部は、さらに、
前記被制御機器との無線通信の接続の確立を前記無線通信部にさせ、
前記無線通信判断部は、
（ｉ）前記無線通信部が前記被制御機器との無線通信の接続を確立した場合には、前記無線通信部と前記被制御機器との無線通信ができると判断し、
（ｉｉ）前記無線通信部が前記被制御機器との無線通信の接続を確立できなかった場合には、前記無線通信部と前記被制御機器との無線通信ができないと判断する
請求項１〜４のいずれか１項に記載のリモコン。
【請求項６】
前記リモコンは、さらに、
データ保持部を有し、
前記制御部は、前記被制御機器との無線通信の接続の確立、又は、前記接続が確立していることの確認を前記無線通信部にさせ、前記接続が確立しているか否かを示す接続状態情報を前記データ保持部に格納し、
前記無線通信判断部は、
前記データ保持部が保持している前記接続状態情報に基づいて、前記無線通信部と前記被制御機器との無線通信ができるか否かを判断する
請求項１〜５のいずれか１項に記載のリモコン。
【請求項７】
前記制御部は、前記受付部が前記音声を受け付けた場合であって、前記無線通信部と前記被制御機器との無線通信ができないと前記無線通信判断部が判断した場合には、前記被制御機器の無線通信を開始させるための制御コマンドであるオンコマンドを前記赤外線送信部を用いて送信する
請求項３に記載のリモコン。
【請求項８】
被制御機器を制御するためのリモコンであって、赤外線により情報を送信する赤外線送信部と、電波による無線通信により情報を送信する無線通信部とを備えるリモコンの通信方法であって、
前記被制御機器に送信する制御情報をユーザから受け付ける受付ステップと、
前記無線通信部と前記被制御機器との無線通信ができるか否かを判断する無線通信判断ステップと、
前記無線通信判断ステップでの判断結果に基づいて、前記赤外線送信部及び前記無線通信部のうち前記被制御機器に前記制御情報を送信する一方を選択し、選択した前記一方を用いて前記被制御機器に前記制御情報を送信する制御ステップとを含む
リモコンの通信方法。
【手続補正３】
【補正対象書類名】図面
【補正対象項目名】全図
【補正方法】変更
【補正の内容】
【図１】
2015045322.tif 000015
【図２】
2015045322.tif 000016
【図３】
2015045322.tif 000017
【図４】
2015045322.tif 000018
【図５】
2015045322.tif 000019
【図６】
2015045322.tif 000020
【図７】
2015045322.tif 000021
【図８】
2015045322.tif 000022
【図９】
2015045322.tif 000023
【図１０】
2015045322.tif 000024
【図１１】
2015045322.tif 000025
【図１２】
2015045322.tif 000026
【国際調査報告】
2015045322.tif 000027
2015045322.tif 000028
2015045322.tif 000029
2015045322.tif 000030